(57)【要約】【課題】使い勝手のよい機器制御システム、そのプログラム、記録媒体、機器制御方法、被制御機器を提供すること。【解決手段】ビデオ２０と、ビデオ２０に接続され、所定の機能を有する複数のサブユニット７２、７３および／または外部機器と接続するための外部端子４２，４３を有するテレビ３０と、を備え、ビデオ２０は、ビデオ２０のための使用状態にする指示をテレビ３０に出力し、テレビ３０は、テレビ３０の内部の複数のサブユニット７２、７３および／または外部端子４２、４３の接続状態を、前記指示に基づいてビデオ２０のための使用状態にする、機器制御システムである。【選択図】  図２
2004328383.tif 000002
【特許請求の範囲】
【請求項１】
所定の機能を有する制御機器と、
前記制御機器に接続され、所定の機能を有する複数の制御手段および／または外部機器と接続するための外部端子を有する被制御機器と、を備え、
前記制御機器は、前記被制御機器を前記制御機器のための使用状態にする指示を前記被制御機器に出力し、
前記被制御機器は、前記被制御機器の内部の前記複数の制御手段および／または前記外部端子の接続状態を、前記指示に基づいて前記制御機器のための使用状態にする、機器制御システム。
【請求項２】
前記被制御機器は、前記制御機器からの検出指示に基づいて、前記被制御機器の接続状態を検出して、前記制御機器に出力し、
前記制御機器は、前記被制御機器から出力された検出結果を利用して、前記被制御機器を前記制御機器のための使用状態にする指示を前記被制御機器に出力する、請求項１に記載の機器制御システム。
【請求項３】
前記制御機器は、映像情報を記録再生するための記録再生装置であり、
前記被制御機器は、映像情報を表示するための表示装置であり、内部にチューナ制御手段およびモニタ制御手段を有している、請求項１または２に記載の機器制御システム。
【請求項４】
前記記録再生装置は、前記映像情報に重畳するためのＧＵＩ画面を生成するＧＵＩ画面生成手段を有し、
前記表示装置において、前記表示装置の内部の接続状態が前記記録再生装置のための使用状態にされた後、前記記録再生装置からの指示により、前記表示装置に前記ＧＵＩ画面を表示させる、請求項３に記載の機器制御システム。
【請求項５】
前記制御動作はＩＥＥＥ１３９４規格に基づいており、前記制御手段はサブユニットである、請求項１から４のいずれかに記載の機器制御システム。
【請求項６】
前記制御機器のための使用状態は、リモコンにより指定される請求項１から５のいずれかに記載の機器制御システム。
【請求項７】
所定の機能を有する制御機器に接続され、所定の機能を有する複数の制御手段および／または外部機器と接続するための外部端子を有しており、
前記制御機器から出力された、前記制御機器のための使用状態にする指示に基づいて、内部の前記複数の制御手段および／または外部端子の接続状態を、前記制御機器のための使用状態にする被制御機器。
【請求項８】
所定の機能を有する制御機器と、
前記制御機器に接続され、所定の機能を有する複数の制御手段および／または外部機器と接続するための外部端子を有する被制御機器と、を備える機器制御システムを使用する機器制御方法であって、
前記制御機器は、前記制御機器のための使用状態にする指示を前記被制御機器に出力し、
前記被制御機器は、前記被制御機器の内部の前記複数の制御手段および／または外部端子の接続状態を、前記指示に基づいて前記制御機器のための使用状態にする、機器制御方法。
【請求項９】
請求項１に記載の機器制御システムの、前記制御機器、前記被制御機器としてコンピュータを機能させるためのプログラム。
【請求項１０】
請求項９に記載のプログラムを担持した記録媒体であって、コンピュータにより処理可能な記録媒体。
【発明の詳細な説明】
【０００１】
【発明に属する技術分野】
本発明は、ブラウン管など表示機能を持たない映像再生機器あるいは録画再生機器の制御方法に関するものである。
【０００２】
【従来の技術】
従来の録画再生機器（例えば特許文献１参照。）について簡単に説明する。
【０００３】
図９において、ＳＴＢ１１１、ＤＶＨＳ１１２及びＤＴＶ（デジタルＴＶ）１１３は、例えばＩＥＥＥ１３９４等のデジタルインターフェース規格のケーブル１１４，１１５によって接続されている。即ち、ＳＴＢ１１１の端子Ｄ１とＤＴＶ１１３の端子Ｄ２とをケーブル１１４によって接続し、ＤＴＶ１１３の端子Ｄ３とＤＶＨＳ１１２の端子Ｄ４とをケーブル１１５によって接続している。
【０００４】
また、ＳＴＢ１１１、ＤＶＨＳ１１２及びＤＴＶ１１３は、アナログケーブルによっても接続されている。即ち、ＳＴＢ１１１のアナログ出力端子Ａｏ１はＤＴＶ１１３のアナログ入力端子Ａｉ１に接続され、ＤＶＨＳのアナログ出力端子Ａｏ２，Ａｏ３は夫々ＤＴＶ１３のアナログ入力端子Ａｉ２，Ａｉ３に接続されている。
【０００５】
ソース機器であるＳＴＢ１１１は、復調回路１２１、トランスポートストリームを処理するＴＳＰ処理回路１２２、デコーダ１２３及び１３９４処理回路１２４によって構成されている。ＤＴＶ１１３は、１３９４処理回路１３１、デコーダ１３２、セレクタ１３３、モニター１３４及び入力制御切替回路１３５によって構成されている。ＤＶＨＳ１１２は、セレクタ１２５、コントローラ１３０、１３９４処理回路１２９、エンコーダ／デコーダ１２６、記録再生処理回路１２７，記録媒体１２８で構成されている。
【０００６】
１３９４処理回路１２９によって、端子Ｄ４に接続されたケーブル１１５を介してデータを送受信することができると共に、アナログ入力端子Ａｉ４を介してアナログの映像音声信号を取込むことができるようになっている。
【０００７】
ここで、ユーザーが記録番組の確認を指示するものとする。そうすると、コントローラ１３０は、先ず、ネットワーク上に接続されているディスプレイ装置を確認し、デコーダを有しているか否かを検出する。
【０００８】
例えば、コントローラ１３０は、ＩＥＥＥ１３９４規格で規定しているコンフィグレーションＲＯＭ（Ｃｏｎｆｉｇｕｒａｔｉｏｎ  Ｒｏｍ）の所定のアドレスに、ＭＰＥＧ２デコーダの有無を記述しておく方法で、ディスプレイ装置のデコーダの有無を確認することができる。即ち、この方法では、ＤＶＨＳ１１２のコントローラ１３０は１３９４処理回路１２９，１３１を介してＤＴＶ１１３のコンフィグレーションＲＯＭ空間の情報を読み出して、ＭＰＥＧ２デコーダ１３２が存在することを検出する。
【０００９】
こうして、コントローラ１３０は、ＤＴＶ１１３がＭＰＥＧ２のデコーダ１３２を有していることを検出する。この場合には、ＤＴＶ１１３はＩＥＥＥ１３９４を介してＭＰＥＧ２−ＴＳを受信してデコードすることができる。コントローラ１３０は、１３９４処理回路１２９，１２４を介してＳＴＢ１１１を制御して、ＴＳＰ処理回路１２２からのＭＰＥＧ２−ＴＳを１３９４処理回路１２４から端子Ｄ１，ケーブル１４１、端子Ｄ２を経由してＤＴＶ１１３に出力させる。
【００１０】
入力制御切替回路１３５は、コントローラ１３０からの指示が１３９４処理回路１３１から与えられて、セレクタ１３３にデコーダ１３２を選択させている。なお、入力制御切替回路１３５は、ユーザー操作に基づいてセレクタ１３３にデコーダ１３２を選択させることもある。
【００１１】
【特許文献１】
特開２００１−２３０９９７号公報
【００１２】
【発明が解決しようとする課題】
しかしながら従来の構成では、簡単な操作で録画機器が出力するＧＵＩ画面を、外部機器であるＤＴＶのモニタに表示できない。
【００１３】
例えば録画機器が出力するＧＵＩ画面を、外部機器側の入力信号の選択切換を外部機器側のリモコンで行い、録画機側のリモコンを用いて表示あるいは削除しなければならず、結果両方のリモコンを操作しなければならない課題が存在する。
【００１４】
また録画機側の再生と停止を、録画機側のリモコンを用いて操作し、さらに外部機器側の入力信号の選択切換を外部機器側のリモコンで行わなければならない課題が存在する。
【００１５】
本発明は上記従来の問題点を鑑み、使い勝手のよい機器制御システム、そのプログラム、記録媒体、機器制御方法、被制御機器を提供することを目的とする。
【００１６】
【課題を解決するための手段】
第１の本発明は、所定の機能を有する制御機器と、
前記制御機器に接続され、所定の機能を有する複数の制御手段および／または外部機器と接続するための外部端子を有する被制御機器と、を備え、
前記制御機器は、前記被制御機器を前記制御機器のための使用状態にする指示を前記被制御機器に出力し、
前記被制御機器は、前記被制御機器の内部の前記複数の制御手段および／または前記外部端子の接続状態を、前記指示に基づいて前記制御機器のための使用状態にする、機器制御システムである。
【００１７】
第２の本発明は、前記被制御機器は、前記制御機器からの検出指示に基づいて、前記被制御機器の接続状態を検出して、前記制御機器に出力し、
前記制御機器は、前記被制御機器から出力された検出結果を利用して、前記被制御機器を前記制御機器のための使用状態にする指示を前記被制御機器に出力する、第１の本発明の機器制御システムである。
【００１８】
第３の本発明は、前記制御機器は、映像情報を記録再生するための記録再生装置であり、
前記被制御機器は、映像情報を表示するための表示装置であり、内部にチューナ制御手段およびモニタ制御手段を有している、第１または２の本発明の機器制御システムである。
【００１９】
第４の本発明は、前記記録再生装置は、前記映像情報に重畳するためのＧＵＩ画面を生成するＧＵＩ画面生成手段を有し、
前記表示装置において、前記表示装置の内部の接続状態が前記記録再生装置のための使用状態にされた後、前記記録再生装置からの指示により、前記表示装置に前記ＧＵＩ画面を表示させる、第３の本発明の機器制御システムである。
【００２０】
第５の本発明は、前記制御動作はＩＥＥＥ１３９４規格に基づいており、前記制御手段はサブユニットである、第１から４のいずれかの本発明の機器制御システムである。
【００２１】
第６の本発明は、前記制御機器のための使用状態は、リモコンにより指定される第１から５のいずれかの本発明の機器制御システムである。
【００２２】
第７の本発明は、所定の機能を有する制御機器に接続され、所定の機能を有する複数の制御手段および／または外部機器と接続するための外部端子を有しており、
前記制御機器から出力された、前記制御機器のための使用状態にする指示に基づいて、内部の前記複数の制御手段および／または外部端子の接続状態を、前記制御機器のための使用状態にする被制御機器である。
【００２３】
第８の本発明は、所定の機能を有する制御機器と、
前記制御機器に接続され、所定の機能を有する複数の制御手段および／または外部機器と接続するための外部端子を有する被制御機器と、を備える機器制御システムを使用する機器制御方法であって、
前記制御機器は、前記制御機器のための使用状態にする指示を前記被制御機器に出力し、
前記被制御機器は、前記被制御機器の内部の前記複数の制御手段および／または外部端子の接続状態を、前記指示に基づいて前記制御機器のための使用状態にする、機器制御方法である。
【００２４】
第９の本発明は、第１の本発明の機器制御システムの、前記制御機器、前記被制御機器としてコンピュータを機能させるためのプログラムである。
【００２５】
第１０の本発明は、  第９の本発明のプログラムを担持した記録媒体であって、コンピュータにより処理可能な記録媒体である。
【００２６】
【発明の実施の形態】
（実施の形態１）
図１は本発明の実施の形態１における機器制御システムの構成を示すブロック図であり、１はデジタル映像信号にＧＵＩ画面を重畳するＧＵＩ画面重畳部、２はＧＵＩ画面重畳部からのデジタル映像信号をアナログ映像信号に変換出力するアナログ変換部、３はデジタル映像信号とデジタル制御信号の入出力を外部機器に対して行う外部通信部、４は外部機器の状態を記憶するメモリ部、５は外部通信部３とデジタル制御信号の授受を行い、かつＧＵＩ画面重畳部２へ重畳命令を出力し、かつメモリ部４へ外部機器の入力状態を記憶させるシステム制御部である。
【００２７】
また図２は図１の本発明の構成を含むビデオと外部機器に相当するテレビの構成図である。
【００２８】
２０はデジタル信号を記録再生できるビデオ、１はデジタル映像信号にＧＵＩ画面を重畳する、本発明のＧＵＩ画面生成手段の一例であるＧＵＩ画面重畳部、２はＧＵＩ画面重畳部からのデジタル映像信号をアナログ映像信号に変換出力するアナログ変換部、３はデジタル映像信号とデジタル制御信号の入出力を外部機器に対して行う外部通信部、４は外部機器の状態を記憶するメモリ部、６はデジタル映像信号を蓄積する蓄積部、２１は蓄積部６の記録と再生を制御する記録再生制御部、２２は外部通信部３とデジタル制御信号の授受を行い、かつ記録再生制御部２１へ再生命令を出力し、かつＧＵＩ画面重畳部１へ重畳命令を出力し、かつメモリ部４へ外部機器の入力状態を記憶させるシステム制御部、２３はアナログ地上波放送受信のためのアンテナ、２４はアンテナ２３からの信号からアナログ映像信号を出力するアナログチューナ部、２５はアナログ映像信号を入力し、デジタル信号であるトランスポートストリーム信号（以下、ＴＳＰと呼ぶ）に変換し、記録再生制御部２１に出力するエンコード部、２６はリモコン２７からの信号をシステム制御部２２へ伝えるリモコン受光部、２７はビデオ用リモコン、２８は外部通信部３へ連結されているデジタル信号用端子、２９はアナログ変換部２と連結されているアナログ信号用端子である。システム制御部２２は、図１のシステム制御部５の機能を包含している。
【００２９】
３０はテレビ、３１はデジタル衛星放送受信のためのアンテナ、３２はアンテナ３１からの信号をＴＳＰに変換するデジタルチューナ部、３３はデジタル映像信号とデジタル制御信号の入出力を外部機器に対して行う外部通信部、３４はＴＳＰの入出力を切り換えるデジタル入力切換部、３５はＴＳＰをアナログ信号に変換するデコード部、３６はアナログ信号の入出力を切り換えるアナログ入力切換部、３７は映像を表示するためのモニター、３８は外部通信部３３とデジタル制御信号の授受を行い、かつデジタル入力切換部３４とアナログ入力切換部３６を制御するシステム制御部、３９はデジタル信号を記憶するメモリ部、４０はリモコン４１からの信号をシステム制御部３８へ伝えるリモコン受光部、４１はテレビ用リモコン、４２は外部通信部３３と連結されたデジタル信号用端子、４３はアナログ入力切換部３６と連結されたアナログ信号用端子である。
【００３０】
また４４はデジタル信号用ケーブルであり、ビデオ２０のデジタル信号用端子２８とテレビ３０のデジタル信号用端子４２を結線している。４５はアナログ信号用ケーブルであり、ビデオ２０のアナログ信号用端子２９とテレビ３０のアナログ信号用端子４３を結線している。
【００３１】
以上のように構成された機器制御システムについて、図３、図４の処理フローを用いて、その動作を説明する。
【００３２】
まず、図３の処理フローにおいて電源オン時の処理を説明する。処理５０から開始し、処理５１でビデオ２０の電源をオンする。処理５２でＩＥＥＥ１３９４規格の中に存在するサブユニットインフォコマンドをビデオ２０からテレビ３０へ送信する。サブユニットインフォコマンドは、テレビ３０がどのようなサブユニットを持っているか検出する。ＩＥＥＥ１３９４規格では、ビデオ２０あるいはテレビ３０はユニットとして定義されており、ＩＥＥＥ１３９４規格のデジタル通信上で制御可能なサブユニットをさらに定義することが可能である。サブユニットにはＶＣＲ、ディスク、チューナ、モニタなどユニット内の主要な機能が決められている。またサブユニットとしてＩＥＥＥ１３９４規格として検出可能にするかどうかは設計上自由である。
【００３３】
システム制御部２２がサブユニットインフォコマンドを出力する。出力する経路はシステム制御部２２から始まって、外部通信部３、デジタル信号用端子２８、デジタル信号用ケーブル４４、デジタル信号用端子４２、外部通信部３３、システム制御部３８の順である。検出結果として処理５３でテレビからコマンドに対する受け付け応答（レスポンス）が帰ってくる。この場合チューナサブユニットとモニタサブユニットを持っていることが検出される。チューナサブユニットが検出できた場合は、ＩＥＥＥ１３９４規格で結線されている機器から選局などを命令することができることを意味している。同様にモニタサブユニットが検出できた場合は、モニターの表示オン・オフなどの命令をすることができることを意味している。処理５４でサブユニット検出の処理を終わる。
【００３４】
次に図４の処理フローにおいてＧＵＩ画面表示と削除時の処理を説明する。処理５５から開始し、処理５６でユーザがリモコン２７を用いてＧＵＩ画面の表示命令信号をビデオ２０へ出力する。出力する経路は、図２においてリモコン２７から始まって、リモコン受光部２６、システム制御部２２の順である。処理５７でシステム制御部２２は、ＧＵＩ画面重畳部１へＧＵＩ画面を表示するように命令する。ＧＵＩ画面重畳部１は記録再生制御部２１から出力されるデジタル映像信号にＧＵＩ画面を重畳し、アナログ変換部２へ出力する。
【００３５】
次に処理５８で、ＩＥＥＥ１３９４規格の中に存在するコネクトステータスコマンドをビデオ２０からテレビ３０へ送信し、テレビ３０内で信号がどのような入出力状態になっているか検出する。システム制御部２２がコネクトステータスコマンドを出力する。出力する経路はサブユニットインフォコマンドを送信したときと同様である。検出結果として処理５９でテレビ３０からコマンドに対する受け付け応答（レスポンス）が帰ってくる。メモリ部４は検出されたテレビの入出力状態を記憶する。
【００３６】
次に処理６０で、ＩＥＥＥ１３９４規格の中に存在するコネクトコマンドをビデオ２０からテレビ３０へ送信し、ビデオ２０のアナログ信号用端子２９の出力をテレビのモニター３７に表示するための入力信号にするように命令する。システム制御部２２がコネクトコマンドを出力する。経路はサブユニットインフォコマンドを送信したときと同様である。検出結果として処理５９でテレビからコマンドに対する受け付け応答（レスポンス）が帰ってくる（処理６１）。
【００３７】
図５に例を示す。７１はテレビ３０を表すモニタユニット、７２はチューナサブユニット、７３はモニタサブユニット、７４、８４はサブユニットの出力端子を表すソースプラグ、７５、８５はサブユニットの入力端子を表すディスティネーションプラグ、７６、８０はユニットのＩＥＥＥ１３９４規格の仮想的な出力端子を表すアウトプットプラグコントロールレジスタ（ｏＰＣＲと略す）、７７、８１はユニットの入力端子を表すインプットプラグコントロールレジスタ（ｉＰＣＲと略す）、７８はアナログ信号入力端子を表すインプットエクスターナルプラグコントロールレジスタ（ｉＥＸＲと略す）、７９はアナログ信号出力端子を表すアウトプットエクスターナルプラグコントロールレジスタ（ｏＥＸＲと略す）、８２はビデオ２０を表すディスクユニット、８３はディスクサブユニットである。図５と図２を比較すると、ｏＰＣＲ７６とｉＰＣＲ７７はデジタル信号用端子４２を、ｏＰＣＲ８０とｉＰＣＲ８１はデジタル信号用端子２８を、ｉＥＸＲ７８はアナログ信号用端子４３を、ｏＥＸＲ７９はアナログ信号出力端子２９を表している。
【００３８】
検出結果として図５（ａ）ではチューナサブユニット７２のソースプラグ７４がモニタサブユニット７３のディスティネーションプラグ７５と結線されている状態を表している。これは図２においてモニター３７にデジタルチューナ部３２からの映像信号が映っている状態である。次に図５（ｂ）に示すように、コネクトコマンドによってチューナサブユニット７２のソースプラグ７４との結線をはずし、ｉＥＸＲ７８とモニタサブユニット７３のディスティネーションプラグ７８と結線させる。そうするとディスクサブユニット８３のソースプラグ８４からの映像信号が、ｏＥＸＲ７９、ｉＥＸＲ７８、ディスティネーションプラグ７５の経路で伝送することが可能となる。
【００３９】
テレビ３０はビデオ２０のアナログ信号用端子２９の出力を入力信号としてモニターに表示することになり、ユーザはテレビ３０のリモコン４１を使うことなしにビデオ２０が出力しているＧＵＩ画面をモニター３７から見ることができる。
【００４０】
次にＧＵＩ画面の削除時の処理を説明する。図４の処理６２でユーザがリモコン２７を用いてＧＵＩ画面削除の命令信号をビデオ２０へ出力する。処理６３でシステム制御部２２は、ＧＵＩ画面重畳部１へＧＵＩ画面を削除するように命令する。処理６４で、システム制御部２２が前の状態をメモリ部４から読みこみ、コネクトコマンドを出力する。コネクトコマンドはビデオ２０からテレビ３０へ送信され、ビデオ２０のアナログ出力をモニター出力する前の状態に戻す。経路はサブユニットインフォコマンドを送信したときと同様である。検出結果として処理６５でテレビ３０からコマンドに対する受け付け応答（レスポンス）が帰ってくる。処理６６で終了する。
【００４１】
図６でユーザ操作と画面の状態を示す。８６はモニター３７に映っているＧＵＩ画面である。図６（ａ）においてモニター３７には、ある２ｃｈの放送局の映像が映っている。ここでユーザはリモコン２７を用いて、ＧＵＩ画面を表示させる。図６（ｂ）においてモニター３７にＧＵＩ画面８６が表示される。ユーザはさらにリモコン２７を用いてＧＵＩ画面を削除しようとする。図６（ｃ）でもとの２ｃｈの放送に戻る。
【００４２】
以上のように本実施の形態１によれば、ビデオ２０側がテレビ３０の入出力状態を記憶し、かつ操作する構成を設けることにより、ユーザがビデオ２０側のリモコン２７を操作するだけで、テレビ３０のモニター３７にビデオ２０の出力を見ることができる。したがってテレビ３０のリモコン４１とビデオ２０のリモコン２７を両方操作する手間が省ける。また機器間の信号端子の結線関係を気にすることもない。
【００４３】
（実施の形態２）
図７は本発明の実施の形態２における機器制御システムの構成を示すブロック図であり、６はデジタル映像信号を蓄積する蓄積部、７は蓄積部の再生を制御する再生制御部、２は再生制御部からのデジタル映像信号をアナログ映像信号に変換出力するアナログ変換部、３はデジタル映像信号とデジタル制御信号の入出力を外部機器に対して行う外部通信部、４は外部機器の状態を記憶するメモリ部、８は外部通信部３とデジタル制御信号の授受を行い、かつ再生制御部２１へ再生命令を出力し、かつメモリ部４へ外部機器の入力状態を記憶させるシステム制御部である。
【００４４】
また図２は図７と外部機器を含む構成図である。図２の中で蓄積部６、アナログ変換部２、メモリ部４は図７と同じである。記録再生制御部２１は再生制御部７の機能を包含している。システム制御部２２は、システム制御部８の機能を包含している。また図２の中で記録再生制御部２１とアナログ変換部２の間にＧＵＩ画面重畳部１が存在するが、図７のように構成上なくてもよい。
【００４５】
以上のように構成された機器制御システムについて、図３、図８の処理フローを用いて、その動作を説明する。
【００４６】
まず、図３の処理フローにおいて電源オン時の処理を説明する。処理５０から開始し、処理５１でビデオ２０の電源をオンする。処理５２でＩＥＥＥ１３９４規格の中に存在するサブユニットインフォコマンドをビデオ２０からテレビ３０へ送信し、テレビ３０がどのようなサブユニットを、外部機器からデジタル通信を用いて制御可能としているか検出する。ＩＥＥＥ１３９４規格では、ビデオ２０あるいはテレビ３０はユニットとして定義されており、デジタル通信上で制御可能なサブユニットをさらに定義することが可能である。システム制御部２２がサブユニットインフォコマンドを出力する。出力する経路はシステム制御部２２から始まって、外部通信部３、デジタル信号用端子２８、デジタル信号用ケーブル４４、デジタル信号用端子４２、外部通信部３３、システム制御部３８の順である。検出結果として処理５３でテレビからコマンドに対する受け付け応答（レスポンス）が帰ってくる。この場合チューナサブユニット７２とモニタサブユニット７３を持っていることが検出される。チューナサブユニット７２が検出できた場合は、ＩＥＥＥ１３９４規格で結線されている機器から選局などを命令することができることを意味している。同様にモニタサブユニットが検出できた場合は、モニターの表示オン・オフなどの命令をすることができることを意味している。処理５４でサブユニット検出の処理を終わる。
【００４７】
次に図８の処理フローにおいて蓄積部６の再生と停止時の処理を説明する。処理５５から開始し、処理６７で、図２においてユーザがリモコン２７を用いて再生命令の信号をビデオ２０へ出力する。出力する経路は、リモコン２７から始まって、リモコン受光部２６、システム制御部２２の順である。処理６７でシステム制御部２２は、録画再生制御部２１へ蓄積部６のデジタル映像信号を再生するように命令する。記録再生制御部２１から出力されるデジタル映像信号は、ＧＵＩ画面重畳部１を通って、アナログ変換部２へ伝達される（処理６８）。
【００４８】
次に処理５８で、ＩＥＥＥ１３９４規格の中に存在するコネクトステータスコマンドをビデオ２０からテレビ３０へ送信し、テレビ３０内で信号がどのような入出力状態になっているか検出する。システム制御部２２がコネクトステータスコマンドを出力する。出力する経路はサブユニットインフォコマンドを送信したときと同様である。検出結果として処理５９でテレビ３０からコマンドに対する受け付け応答（レスポンス）が帰ってくる。メモリ部４は検出されたテレビ３０の入出力状態を記憶する。
【００４９】
次に処理６０で、ＩＥＥＥ１３９４規格の中に存在するコネクトコマンドをビデオ２０からテレビ３０へ送信し、ビデオ２０のアナログ信号用端子２９の出力をテレビ３０のモニター３７に表示するための入力信号にするように命令する。システム制御部２２がコネクトコマンドを出力する。経路はサブユニットインフォコマンドを送信したときと同様である。検出結果として処理５９でテレビ３０からコマンドに対する受け付け応答（レスポンス）が帰ってくる（処理６１）。
【００５０】
図５に例を示す。検出結果として図５（ａ）では、チューナサブユニット７２のソースプラグ７４がモニタサブユニット７３のディスティネーションプラグ７４と結線されている状態を表している。これはモニター３７にデジタルチューナ部３２からの映像信号が映っている状態である。次に図５（ｃ）のように、コネクトコマンドによってチューナサブユニット７２のソースプラグ７４との結線をはずし、ｉＰＣＲ７７とモニタサブユニット７３のディスティネーションプラグ７５と結線させる。そうするとディスクサブユニット８３のソースプラグ８４からの映像信号が、ｏＰＣＲ８０、ｉＰＣＲ７７、ディスティネーションプラグ７５の経路で信号を伝送することが可能となる。
【００５１】
テレビ３０はビデオ２０のデジタル出力を入力信号としてモニター３７に表示することになり、ユーザはテレビ３０のリモコン４１を使うことなしにビデオ２０が出力している再生映像をモニター３７から見ることができる。
【００５２】
次に蓄積部６の再生出力を停止する処理を説明する。処理６９でユーザがリモコン２７を用いて停止信号をビデオ２０へ出力する。処理７０でシステム制御部２２は、記録再生制御部２１へ蓄積部６を停止するように命令する。処理６４で、コネクトコマンドをビデオ２０からテレビ３０へ送信し、ビデオ２０のアナログ出力をモニター出力する前の状態に戻す。システム制御部２２が前の状態をメモリ部４から読みこみ、コネクトコマンドを出力する。経路はサブユニットインフォコマンドを送信したときと同様である。検出結果として処理６５でテレビ３０からコマンドに対する受け付け応答（レスポンス）が帰ってくる。処理６６で終了する。
【００５３】
図６でユーザ操作と画面の状態を示す。図６（ａ）においてモニター３７には、ある２ｃｈの放送局の映像が映っている。ここでユーザはリモコン２７を用いて、ビデオ２０を再生開始させる。図６（ｄ）においてモニター３７にビデオ２０の再生画面８７が表示される。ユーザはさらにリモコン２７を用いて停止しようとする。図６（ｃ）でもとの２ｃｈの放送に戻る。
【００５４】
以上のように本実施の形態２によれば、ビデオ２０側がテレビ３０の入出力状態を記憶し、かつ操作する構成を設けることにより、ユーザがビデオ２０側のリモコン２７を操作するだけで、テレビ３０のモニター３７にビデオ２０の再生出力を見ることができる。したがってテレビ３０のリモコン４１とビデオ２０のリモコン２７を両方操作する手間が省ける。また機器間の信号端子の結線関係を気にすることもない。
【００５５】
なお、以上までの実施の形態１、２の説明において、本発明の制御機器のための使用状態にするとは、実施の形態１においては、ＧＵＩ画面を表示させること、もしくは表示されている画面を削除することであり、実施の形態２においては、ビデオ２０を再生状態にすること、もしくは再生状態のビデオ２０を停止状態にすることである。しかし、これらは一例であり、ビデオ２０等の制御機器の他の動作であってもよい。
【００５６】
また、以上までの説明において、本発明の制御手段は、各サブユニットに対応し、本発明のチューナ制御手段はチューナサブユニット７２に対応し、本発明のモニタ制御手段はモニタサブユニット７３に一例として対応する。
【００５７】
また、本発明の制御機器は、ビデオ２０に対応し、本発明の被制御機器は、テレビ３０に対応する。しかし、本発明の制御機器は、ＤＶＤ用記録再生装置等、ビデオ２０以外の記録再生装置であってもよい。さらに、本発明の制御機器は、記録再生装置に限定されることもなく、本発明の被制御機器は、テレビ３０に限定されることもない。そのような場合の例としては、本発明の制御機器がＤＶＤプレーヤ（再生専用機）であり、本発明の被制御機器がテレビチューナ内蔵のパソコンであることも考えられる。さらに、上記とは逆に本発明の制御機器がテレビ３０またはパソコン等であり、被制御機器がビデオ２０等の記録再生装置、ＤＶＤプレーヤであることも考えられる。
【００５８】
また、本発明の外部端子は、一例としてデジタル信号用端子４２、アナログ信号用端子４３に対応する。
【００５９】
また、以上までの説明において、本発明の検出指示とは、処理５８における、コネクトステータスコマンドに対応する。
【００６０】
また、本発明の検出結果とは、処理５９において受信されたレスポンスに対応する。
【００６１】
また、以上までの説明では、本発明の検出結果を利用して本発明の被制御機器の接続状態を本発明の制御機器のための使用状態にする、としたが、検出結果を利用せず、すなわち、本発明の制御機器から検出指示を出力せず、直接被制御機器の接続状態を制御機器の接続状態にしてもよい。その場合も上記と同様の効果を得ることができる。
【００６２】
また、以上までの説明では、本発明の制御機器のための使用状態は、リモコン２７により指定される、としたリモコン２７は無くてもよい。すなわち、制御機器を操作するのみで被制御機器の内部の接続状態を制御機器のための使用状態にすることができれば、上記と同様の効果を得ることができる。
【００６３】
また、本発明のプログラムは、上述した本発明の機器制御システム、制御機器、または被制御機器の全部又は一部の手段の機能をコンピュータにより実行させるためのプログラムであって、コンピュータと協働して動作するプログラムである。
【００６４】
又、本発明の記録媒体は、上述した本発明の機器制御システム、制御機器または被制御機器の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００６５】
尚、本発明の上記「一部の手段（又は、装置、素子等）」とは、それらの複数の手段の内の、一つ又は幾つかの手段を意味する。
【００６６】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【００６７】
又、本発明のプログラムの一利用形態は、コンピュータにより読み取り可能な記録媒体に記録され、コンピュータと協働して動作する態様であっても良い。
【００６８】
又、本発明のプログラムの一利用形態は、伝送媒体中を伝送し、コンピュータにより読みとられ、コンピュータと協働して動作する態様であっても良い。
【００６９】
又、記録媒体としては、ＲＯＭ等が含まれ、伝送媒体としては、インターネット等の伝送媒体、光・電波・音波等が含まれる。
【００７０】
又、上述した本発明のコンピュータは、ＣＰＵ等の純然たるハードウェアに限らず、ファームウェアや、ＯＳ、更に周辺機器を含むものであっても良い。
【００７１】
尚、以上説明した様に、本発明の構成は、ソフトウェア的に実現しても良いし、ハードウェア的に実現しても良い。
【００７２】
以上本発明によれば、ビデオ側がテレビの入出力状態を記憶し、かつ操作する構成を設けることにより、ユーザがビデオ側のリモコンを操作するだけで、テレビのモニターにビデオのデジタル出力あるいはアナログ出力を見ることができる。したがってテレビのリモコンとビデオのリモコンを両方操作する手間が省ける。また機器間の信号端子の結線関係を気にすることもない。
【００７３】
【発明の効果】
本発明によれば、使い勝手のよい機器制御システム、そのプログラム、記録媒体、機器制御方法、被制御機器を提供することができる。
【図面の簡単な説明】
【図１】本発明の第１の実施形態における機器制御システムの構成を示すブロック図
【図２】第１，第２の実施形態のテレビとビデオと結線関係を表したブロック図
【図３】第１の実施形態の動作を説明するためのフロー図
【図４】第１の実施形態の動作を説明するためのフロー図
【図５】第１、第２の実施形態のユニット、サブユニットを説明するためのブロック図
【図６】第１の実施形態の効果を説明するための図
【図７】本発明の第２の実施形態における機器制御システムの構成を示すブロック図
【図８】第２の実施形態の動作を説明するためのフロー図
【図９】従来の機器制御システムの構成を示すブロック図である。
【符号の説明】
１  ＧＵＩ画面重畳部
２  アナログ変換部
３、３３  外部通信部
４、３９  メモリ
５、８、２２、３８  システム制御部
６  蓄積部
７  再生制御部
２０  ビデオ
２１  記録再生制御部
８、２３  アナログアンテナ
９、２４  アナログチューナ部
１０、２５  エンコード部
１１、２６、４０  リモコン受光部
２７、４１  リモコン
１３、２８、４２  デジタル信号用端子
１４、２９、４３  アナログ信号用端子
３０  テレビ
１６、３１  デジタル衛星放送用アンテナ
１７、３２  デジタルチューナ部
３４  デジタル入力切換部
３５  デコード部
３６  アナログ入力切換部
３７  モニター
４４  デジタル信号用ケーブル
４５  アナログ信号用ケーブル
７１  モニタユニット
７２  チューナサブユニット
７３  モニタサブユニット
７４、８４  ソースプラグ
７５、８５    ディスティネーションプラグ
７６、８０アウトプットプラグコントロールレジスタ
７７、８１  インプットプラグコントロールレジスタ
７８  インプットエクスターナルプラグコントロールレジスタ
７９  アウトプットエクスターナルプラグコントロールレジスタ
８２  ディスクユニット
８３  ＨＤＤサブユニット
【図１】
2004328383.tif 000003
【図２】
2004328383.tif 000004
【図３】
2004328383.tif 000005
【図４】
2004328383.tif 000006
【図５】
2004328383.tif 000007
【図６】
2004328383.tif 000008
【図７】
2004328383.tif 000009
【図８】
2004328383.tif 000010
【図９】
2004328383.tif 000011